(57)【要約】  無線ネットワーク規格に従って通信する無線ネットワークのセル（図２Ａ）に属する前記無線ステーションにおいてパケットを、セル識別情報を有するパケットを送信可能な前記セルの各送信ステーションから無線受信するステップと、前記受信したパケットが前記セルのセル識別情報を有するか確認することによって、前記受信したパケットが前記セルの他のステーションからのものであるか物理的レイヤレベルにおいて確認するステップと、を有することを特徴とする方法。
2007507976.tif 000002
【特許請求の範囲】
【請求項１】
無線ネットワーク規格に従って通信する無線ネットワークのセルに属する前記無線ステーションにおいてパケットを、セル識別情報を有するパケットを送信可能な前記セルの各送信ステーションから無線受信するステップと、
前記受信したパケットが前記セルのセル識別情報を有するか確認することによって、前記受信したパケットが前記セルの他のステーションからのものであるか物理的レイヤレベルにおいて確認するステップと、
を有することを特徴とする方法。
【請求項２】
請求項１記載の方法であって、さらに、
前記確認するステップにより前記受信したパケットが前記セルのセル識別情報を有していないと確認する場合、前記受信したパケットの処理を中断するステップを有することを特徴とする方法。
【請求項３】
請求項１又は２記載の方法であって、
前記セルは、アクセスポイントを有するインフラストラクチャネットワークであり、
前記ステーションは、アクセスポイントであり、
当該方法はさらに、前記セルの他のステーションが該他のステーションが送信するパケットに前記セル識別情報を含むことができるように、前記セル識別情報を前記他のステーションに送信するステップを有する、
ことを特徴とする方法。
【請求項４】
請求項３記載の方法であって、
前記セル識別情報を前記セルの他のステーションに送信するステップは、前記規格のＭＡＣレイヤを利用することを特徴とする方法。
【請求項５】
請求項１乃至４何れか一項記載の方法であって、
前記ステーションは、設定可能な信号強度閾値以下の受信信号強度の受信信号が、スタート・オブ・パケット（ＳＯＰ）検出装置をトリガーしないように、前記設定可能な信号強度閾値を有するＳＯＰ検出装置を有し、
当該方法はさらに、前記セルの他のステーションからのものではないと確認され、前記ステーションにおいて受信した１以上の信号強度に従って、前記設定可能な閾値を調整するステップを有する、
ことを特徴とする方法。
【請求項６】
請求項１乃至５何れか一項記載の方法であって、
前記ステーションは、前記セルの他のステーションからのものではないと確認された受信したパケットの情報を利用して、前記セルに属しないステーションからの干渉を軽減することを特徴とする方法。
【請求項７】
請求項１乃至６何れか一項記載の方法であって、
前記ステーションは、アンテナ要素アレイと、該アンテナ要素アレイに結合される一組の無線受信機と、スマートアンテナ処理方針に従って受信信号を構成可能な前記無線受信機に結合された空間プロセッサとを有し、
当該方法はさらに、前記セルの１以上の他のステーションからのものではないと確認される１以上の受信パケットの情報を利用して、前記１以上の他のステーションからの干渉を軽減することにより、前記スマートアンテナ処理方針を構成するステップを有する、
ことを特徴とする方法。
【請求項８】
無線ネットワーク規格に従って通信する無線ネットワークのセルに属するワイヤレスステーションからパケットを無線送信するステップを有する方法であって、
前記送信されたパケットは、セル識別情報を有し、
前記セル識別情報は、前記送信されたパケットを受信する他のステーションが、該受信したパケットが他のステーションのセルと同一のセルのセル識別情報を有しているか確認することによって、前記受信したパケットが前記他のステーションのセルと同一のセルのステーションからのものであるか前記物理的レイヤレベルにおいて確認することができるように含まれることを特徴とする方法。
【請求項９】
請求項１乃至８何れか一項記載の方法であって、
前記セルのセル識別情報に対し、第１ビット数のビットが設けられ、
前記第１ビット数のビットは、前記セル識別情報のロウバストな通信を提供する符号化方法に従って、前記第１ビット数のビットより大きな第２ビット数のビットの符号化形式に符号化される、
ことを特徴とする方法。
【請求項１０】
請求項１乃至９何れか一項記載の方法であって、
前記ネットワーク規格によるパケットは、変調されたペイロードに先行するプリアンブルを有し、
前記セルのステーションにより送信されるパケットのプリアンブルは、前記セルのセル識別情報を伝える、
ことを特徴とする方法。
【請求項１１】
請求項１乃至９何れか一項記載の方法であって、
前記ネットワーク規格によるパケットは、プリアンブルと変調された部分とを有し、
前記変調された部分は、リザーブド又はエンプティビットを有し、
前記セルのステーションにより送信されるパケットのフィールドの前記リザーブド又はエンプティビットの一部又はすべては、前記セルのセル識別情報を伝える、
ことを特徴とする方法。
【請求項１２】
請求項１乃至１１何れか一項記載の方法であって、
前記ネットワーク規格によるパケットは、前記パケットの残りの部分がどのように符号化されるかに関する情報を提供し、リザーブド又はエンプティビットを含む前記規格によるフィールドを有し、
前記セルのステーションにより送信されるパケットのフィールドの前記リザーブド又はエンプティビットの一部又はすべては、前記セルのセル識別情報を伝える、
ことを特徴とする方法。
【請求項１３】
請求項１乃至１１何れか一項記載の方法であって、
前記セルのステーションにより送信されるパケットのフィールドが前記セルのセル識別情報を伝えるように、前記ネットワーク規格によるパケットは、前記パケットの残りの部分がどのように符号化されるかに関する情報を提供し、セル識別情報のためのフィールドを有することを特徴とする方法。
【請求項１４】
請求項１乃至１３何れか一項記載の方法であって、
前記規格は、前記パケットの残りの部分がどのように符号化されるかに関する情報を提供し、リザーブド又はエンプティビットを含む前記規格に従うＳＩＧＮＡＬフィールドを含むＩＥＥＥ８０２．１１規格のＯＦＤＭ変形の１つであり、
前記セルのステーションにより送信されるパケットのＳＩＧＮＡＬフィールドのリザーブド又はエンプティビットの一部又はすべてが、前記セルのセル識別情報を伝える、
ことを特徴とする方法。
【請求項１５】
請求項１乃至１３何れか一項記載の方法であって、
前記規格は、パケットがリザーブド又はエンプティビットを含むＳＥＲＶＩＣＥフィールドを含むＩＥＥＥ８０２．１１規格のＯＦＤＭ変形の１つであり、
前記セルのステーションにより送信されるパケットのＳＥＲＶＩＣＥフィールドのリザーブド又はエンプティビットの一部又はすべてが、前記セルのセル識別情報を伝える、
ことを特徴とする方法。
【請求項１６】
請求項１乃至１３何れか一項記載の方法であって、
前記規格は、ＩＥＥＥ８０２．１１規格のＯＦＤＭ変形の１つに関する仕様であり、
前記関連する仕様に従って、パケットは、前記セルのセル識別情報を伝えるよう前記セルのステーションに対して設けられるＳＩＧＮＡＬフィールドを有する、
ことを特徴とする方法。
【請求項１７】
請求項１乃至１３何れか一項記載の方法であって、
前記規格は、前記プリアンブルが一組のショートシンボルを有するＩＥＥＥ８０２．１１規格のＯＦＤＭ変形の１つであり、
前記セルのセル識別情報は、各セルに異なるシーケンスが与えられるように符号化された複数のショートシンボルにより伝えられる、
ことを特徴とする方法。
【請求項１８】
請求項１７記載の方法であって、
前記セルのセル識別情報は、ＢＰＳＫが前記ショートシンボルの一部を符号化することにより伝えられることを特徴とする方法。
【請求項１９】
請求項１７記載の方法であって、
前記セルのセル識別情報は、ＱＰＳＫが前記ショートシンボルの一部を符号化することにより伝えられることを特徴とする方法。
【請求項２０】
無線ネットワーク規格に従って通信する無線ネットワークのセルの一部とすることが可能なワイヤレスステーションであって、
セルの他のステーションからパケットを受信可能な無線受信機を有し、
前記セルの各ステーションは、セル識別情報を含むパケットを送信可能であり、
前記受信機は、該受信機により受信したパケットが前記セルのセル識別情報を含むか確認することにより、前記受信したパケットが前記セルの他のステーションからのものであるか前記物理的レイヤレベルにおいて確認可能な物理的レイヤプロセッサを有する、
ことを特徴とするワイヤレスステーション。
【請求項２１】
請求項２１記載のワイヤレスステーションであって、さらに、
アンテナ要素アレイと、各アンテナ要素に結合され、信号を受信可能な一組の無線受信機と、該一組の無線受信機に結合される空間プロセッサとを有し、
前記空間プロセッサは、スマートアンテナ処理方針に従って受信信号を構成し、前記セルの１以上の他のステーションからのものではないと確認される１以上の受信パケットの情報を利用して、前記１以上の他のステーションからの干渉を軽減することにより、前記スマートアンテナ処理方針を構成可能である、
ことを特徴とするワイヤレスステーション。
【請求項２２】
請求項２０又は２１何れか一項記載のワイヤレスステーションであって、
当該ステーションの無線受信機は、設定可能な信号強度閾値以下の受信信号強度の受信信号が、スタート・オブ・パケット（ＳＯＰ）検出装置をトリガーしないように、前記設定可能な信号強度閾値を有するＳＯＰ検出装置を有し、
前記無線受信機はさらに、前記セルの他のステーションからのものではないと確認され、前記ステーションにおいて受信される１以上の信号強度に従って、前記設定可能な閾値を調整可能なコントローラを有する、
ことを特徴とするワイヤレスステーション。
【請求項２３】
無線ネットワークに従って通信する無線ネットワークのセルの一部を構成可能なワイヤレスステーションであって、
セルの他のステーションからパケットを受信する手段を有し、
前記セルの各ステーションは、セル識別情報を含むパケットを送信可能であり、
前記受信手段は、該受信手段により受信したパケットが前記セルのセル識別情報を含むか確認することにより、前記受信したパケットが前記セルの他のステーションからのものであるか前記物理的レイヤレベルにおいて確認する手段を有する物理的レイヤプロセッサを有する、
ことを特徴とするワイヤレスステーション。
【請求項２４】
請求項２３記載のワイヤレスステーションであって、
前記受信手段は、設定可能な信号強度閾値以下の受信信号強度の受信信号が、スタート・オブ・パケット（ＳＯＰ）検出装置をトリガーしないように、前記設定可能な信号強度閾値を有するＳＯＰを検出する手段を有し、
前記受信手段はさらに、前記セルの他のステーションからのものではないと確認され、前記ステーションにおいて受信される１以上の信号強度に従って、前記設定可能な閾値を調整する手段を有する、
ことを特徴とするワイヤレスステーション。
【請求項２５】
請求項２０乃至２４何れか一項記載のワイヤレスステーションであって、
前記セルのセル識別情報に対し、第１ビット数のビットが設けられ、
前記第１ビット数のビットは、前記セル識別情報のロウバストな通信を提供する符号化方法に従って、前記第１ビット数のビットより大きな第２ビット数のビットの符号化形式に符号化される、
ことを特徴とするワイヤレスステーション。
【請求項２６】
請求項２０乃至２５何れか一項記載のワイヤレスステーションであって、
前記ネットワーク規格によるパケットは、変調されたペイロードに先行するプリアンブルを有し、
前記セルのステーションにより送信されるパケットのプリアンブルは、前記セルのセル識別情報を伝える、
ことを特徴とするワイヤレスステーション。
【請求項２７】
請求項２０乃至２５何れか一項記載のワイヤレスステーションであって、
前記ネットワーク規格によるパケットは、プリアンブルと変調された部分とを有し、
前記変調された部分は、リザーブド又はエンプティビットを有し、
前記セルのステーションにより送信されるパケットのフィールドの前記リザーブド又はエンプティビットの一部又はすべては、前記セルのセル識別情報を伝える、
ことを特徴とするワイヤレスステーション。
【請求項２８】
請求項２０乃至２７何れか一項記載のワイヤレスステーションであって、
前記規格は、前記プリアンブルが一組のショートシンボルを有するＩＥＥＥ８０２．１１規格のＯＦＤＭ変形の１つであり、
前記セルのセル識別情報は、各セルに異なるシーケンスが与えられるように符号化された複数のショートシンボルにより伝えられる、
ことを特徴とするワイヤレスステーション。
【請求項２９】
請求項２０乃至２７何れか一項記載のワイヤレスステーションであって、
前記ネットワーク規格によるパケットは、前記パケットの残りの部分がどのように符号化されるかに関する情報を提供し、リザーブド又はエンプティビットを含む前記規格によるフィールドを有し、
前記セルのステーションにより送信されるパケットのフィールドの前記リザーブド又はエンプティビットの一部又はすべては、前記セルのセル識別情報を伝える、
ことを特徴とするワイヤレスステーション。
【請求項３０】
請求項２０乃至２７何れか一項記載のワイヤレスステーションであって、
前記セルのステーションにより送信されるパケットのフィールドが前記セルのセル識別情報を伝えるように、前記ネットワーク規格によるパケットは、前記パケットの残りの部分がどのように符号化されるかに関する情報を提供し、セル識別情報のためのフィールドを有することを特徴とするワイヤレスステーション。
【請求項３１】
プロセッサにワイヤレスステーションにおいて方法を実現するよう指示するための１以上のコンピュータ可読コードセグメントを有する搬送媒体であって、
前記方法は、
無線ネットワーク規格に従って通信する無線ネットワークのセルに属する前記無線ステーションにおいてパケットを、セル識別情報を有するパケットを送信可能な前記セルの各送信ステーションから無線受信するステップと、
前記受信したパケットが前記セルのセル識別情報を有するか確認することによって、前記受信したパケットが前記セルの他のステーションからのものであるか物理的レイヤレベルにおいて確認するステップと、
を有することを特徴とする搬送媒体。
【請求項３２】
請求項３１記載の搬送媒体であって、
前記ステーションは、設定可能な信号強度閾値以下の受信信号強度の受信信号が、スタート・オブ・パケット（ＳＯＰ）検出装置をトリガーしないように、前記設定可能な信号強度閾値を有するＳＯＰ検出装置を有し、
当該方法はさらに、前記セルの他のステーションからのものではないと確認され、前記ステーションにおいて受信した１以上の信号強度に従って、前記設定可能な閾値を調整するステップを有する、
ことを特徴とする搬送媒体。
【請求項３３】
請求項３１又は３２記載の搬送媒体であって、
前記ステーションは、前記セルの他のステーションからのものではないと確認された受信したパケットの情報を利用して、前記セルに属しないステーションからの干渉を軽減することを特徴とする搬送媒体。
【請求項３４】
請求項３１乃至３３何れか一項記載の搬送媒体であって、
前記ステーションは、アンテナ要素アレイと、該アンテナ要素アレイに結合される一組の無線受信機と、スマートアンテナ処理方針に従って受信信号を構成可能な前記無線受信機に結合された空間プロセッサとを有し、
当該方法はさらに、前記セルの１以上の他のステーションからのものではないと確認される１以上の受信パケットの情報を利用して、前記１以上の他のステーションからの干渉を軽減することにより、前記スマートアンテナ処理方針を構成するステップを有する、
ことを特徴とする搬送媒体。
【請求項３５】
請求項３１乃至３４何れか一項記載の搬送媒体であって、
前記セルのセル識別情報に対し、第１ビット数のビットが設けられ、
前記第１ビット数のビットは、前記セル識別情報のロウバストな通信を提供する符号化方法に従って、前記第１ビット数のビットより大きな第２ビット数のビットの符号化形式に符号化される、
ことを特徴とする搬送媒体。
【請求項３６】
請求項３１乃至３５何れか一項記載の搬送媒体であって、
前記ネットワーク規格によるパケットは、変調されたペイロードに先行するプリアンブルを有し、
前記セルのステーションにより送信されるパケットのプリアンブルは、前記セルのセル識別情報を伝える、
ことを特徴とする搬送媒体。
【請求項３７】
請求項３１乃至３５何れか一項記載の搬送媒体であって、
前記ネットワーク規格によるパケットは、プリアンブルと変調された部分とを有し、
前記変調された部分は、リザーブド又はエンプティビットを有し、
前記セルのステーションにより送信されるパケットのフィールドの前記リザーブド又はエンプティビットの一部又はすべては、前記セルのセル識別情報を伝える、
ことを特徴とする搬送媒体。
【請求項３８】
請求項３１乃至３７何れか一項記載の搬送媒体であって、
前記セルのステーションにより送信されるパケットのフィールドが前記セルのセル識別情報を伝えるように、前記ネットワーク規格によるパケットは、前記パケットの残りの部分がどのように符号化されるかに関する情報を提供し、セル識別情報のためのフィールドを有することを特徴とする搬送媒体。
【請求項３９】
請求項３１乃至３７何れか一項記載の搬送媒体であって、
前記ネットワーク規格によるパケットは、前記パケットの残りの部分がどのように符号化されるかに関する情報を提供し、リザーブド又はエンプティビットを含む前記規格によるフィールドを有し、
前記セルのステーションにより送信されるパケットのフィールドの前記リザーブド又はエンプティビットの一部又はすべては、前記セルのセル識別情報を伝える、
ことを特徴とする搬送媒体。
【請求項４０】
請求項３１乃至３９何れか一項記載の搬送媒体であって、
前記規格は、前記プリアンブルが一組のショートシンボルを有するＩＥＥＥ８０２．１１規格のＯＦＤＭ変形の１つであり、
前記セルのセル識別情報は、各セルに異なるシーケンスが与えられるように符号化された複数のショートシンボルにより伝えられる、
ことを特徴とする搬送媒体。
【請求項４１】
請求項３１乃至３９何れか一項記載の搬送媒体であって、
前記規格は、前記パケットの残りの部分がどのように符号化されるかに関する情報を提供し、リザーブド又はエンプティビットを含む前記規格に従うＳＩＧＮＡＬフィールドを含むＩＥＥＥ８０２．１１規格のＯＦＤＭ変形の１つであり、
前記セルのステーションにより送信されるパケットのＳＩＧＮＡＬフィールドのリザーブド又はエンプティビットの一部又はすべてが、前記セルのセル識別情報を伝える、
ことを特徴とする搬送媒体。
【発明の詳細な説明】
【発明の詳細な説明】
【０００１】
［背景］
他のすべての無線ステーションが通信する中央ステーションを含むインフラストラクチャを有する無線ネットワークが、ワイヤレスローカルエリアネットワーク（ＷＬＡＮ）などの無線データネットワークのために現在一般的に使用されている。このようなインフラストラクチャネットワークは、セル群を有するセルラーネットワークと共通点があり、各セル内のクライアントステーションは、基地局と呼ばれることもある中央ステーションを介し通信する。例えば、そのすべての変形においてＩＥＥＥ８０２．１１規格が、現在ＷＬＡＮに一般的に使用され、ベーシックサービスセット（ＢＳＳ）とも呼ばれる同じインフラストラクチャネットワークの他のすべてのステーション（ここでは、クライアントステーションと呼ばれる）が通信するアクセスポイント（ＡＰ）を有するインフラストラクチャネットワークを規定する。このような複数のＢＳＳが１つのエリアに存在するかもしれない。携帯電話ネットワークなどのセルラーネットワークのキャパシティを増大する通常のアプローチは、ネットワークのセル間において可能な限り頻繁に周波数帯域を再利用することである。しかしながら、このアプローチは、ＩＥＥＥ８０２．１１規格に準拠するものなど、無線ネットワークのキャパシティを増大させるのには効果的ではない。例えば、ＩＥＥＥ８０２．１１ａや８０２．１１ｇ規格などのＩＥＥＥ８０２．１１ＯＦＤＭ変形の１つに準拠するネットワークでは、最も高いデータレートと最も低いデータレートとの間に１５ｄＢ以上の受信機の感度の相違が存在し得る。従って、ＢＳＳのカバー領域の境界（「セル境界」）における典型的なパフォーマンスが最も高いデータレートとなるように、ＢＳＳのカバー領域（「セル」）がサイズ設定されている場合、最も低いデータレートにより送信される信号は、より遠くで受信することが可能であり、このため近くのセルの同一チャネル干渉のソースとなりうる。
【０００２】
ＩＥＥＥ８０２．１１規格の物理的レイヤ（ＰＨＹ）部分によると、物理的レイヤの受信ステーションは、隣接する同一チャネルセルの送信機とそれ自身のセルの送信機から受信する信号を区別することができない。このような判断が生じうるのはＭＡＣレイヤにおいてである。従って、同一チャネル送信が受信されると、受信機は、受信機ＭＡＣによりパケットがそれ自体を意図したものであるか決定することが可能となるまでは、当該パケットのエンドまで信号を処理する。従って、受信機が意図しない同一チャネル信号を受信している場合、当該媒体は、受信機が意図しない同一チャネルを処理する時間の全体において利用可能ではない。周波数再利用からのスペクトル効率性の向上の大部分は、このような同一チャネル干渉により失われるかもしれない。
【０００３】
従って、受信したパケットが受信ステーションを意図しているか物理的レイヤなどにおいて迅速に確認することを可能にする方法及び装置が必要とされる。
［概要］
本発明の一特徴は、無線ネットワークのセルのステーションにおいて受信されるパケットが、当該セルの他のステーションからのものであるか物理的レイヤレベルにおいて確認することである。本発明に関するセルは、互いに通信することを意図した無線ネットワークのワイヤレスステーション群である。セルの一例は、セルの各ステーションが通信するアクセスポイントと呼ばれる１つのステーションが存在するインフラストラクチャネットワークである。セルの他の例は、互いに通信するステーションのアドホックネットワークである。
【０００４】
各パケットが複数のショートシンボルを有するプリアンブルを有する第１のＯＦＤＭ実施例によると、最後のいくつかのショートシンボルは、各同一チャネルセルに異なるシーケンスが与えられるように符号化される。その後、受信機の物理的レイヤは、パケットがセル内又はセル間の送信機からのものであるか判断することができる。パケットがセル間の送信機からのものである場合、受信機は、パケットの始めにおいて処理を終了する。これは、そうでない場合に媒体が占有される時間を最小化又は少なくとも軽減する。
【０００５】
各パケットが当該パケットの符号化方法に関する情報を提供する、リザーブド又は未使用ビットを有する当該規格による特別なフィールドを有する他の実施例によると、セル識別情報は、当該フィールドのリザーブド又は未使用ビットの一部又はすべてを利用して、同一チャネルセルを区別する。
【０００６】
他の実施例によると、各パケットは、当該パケットの符号化方法に関する情報を提供する特別なフィールドを有し、当該特別なフィールドは、同一チャネルセルを区別するため、セル識別情報を伝えるフィールドを含む１以上の追加的フィールドを有する。
【０００７】
さらなる他の実施例によると、符号化されたパケットデータの１以上のシンボルがネットワーク情報のためリザーブされ、使用されている規格に従いエンプティ又はリザーブされるビットを用いて、受信ステーションが同一チャネルセルを区別することができるように、セル識別情報を伝える。
【０００８】
各実施例は、長所と短所を有する。特別なフィールドのエンプティビットを利用する第２の実施例は、実現することが簡単である。しかしながら、特別なビットの多くが未使用又はリザーブされなくともよい。さらに、第１実施例を利用するより、パケットのセルに関する決定をするまでより多くの時間を要する。第３実施例によると、より多くのビットが利用可能であり、第３実施例は、セル識別のためより大きな遅延を伴う。
【０００９】
これら３つすべての実施例において、各同一チャネルアクセスポイントに対してなど、ネットワークの各同一チャネルセルに対して一意的な識別子が設けられる。一実施例では、この識別は、アクセスポイントとクライアントステーションとの間の最初のハンドシェイキング中に、ＭＡＣプロトコルを介しセル間クライアントに通信される。
【００１０】
いくつかの変形によると、一意的な識別子が、誤り検出及び／又は訂正を提供するため符号化された形式により伝えられてもよい。
【００１１】
本発明の他の特徴は、復調／再変調機能を有し、干渉信号であると決定された信号を抽出するさらなる処理を行う信号プロセッサを有する受信機である。このような受信機が以前に弱い同一チャネル干渉信号を受信するが、所望の信号、すなわち、当該受信機のために構成された信号と重複することを考える。上述の方法を利用して、干渉信号は、他のセル、すなわち、同一チャネル干渉装置からのものであると確認されるかもしれない。復調／再変調機能を有する受信機の新しい信号プロセッサは、干渉信号を抽出することができる。その後、当該信号は、意図するパケットを損失することなく、所望の信号のため処理することができる。このようなエンハンスメントは、さらにシステムキャパシティを向上させるかもしれない。
【００１２】
さらなる他の特徴によると、受信機は、アンテナアレイと、干渉装置であると確認されたパケットに基づき干渉を軽減するために設けられるスマートアンテナ処理を搭載する。従って、信号が干渉装置であると確認されると、それの空間シグネチャが決定され、使用されるスマートアンテナ処理方針が、既知のスマートアンテナ処理方針決定及び処理技術を利用して、当該シグネチャを有する送信機からの干渉を軽減する。
［詳細な説明］
本発明の一特徴は、無線ネットワークのセルのステーションにおいて受信されるパケットが、当該セルの他のステーションからのものであるか物理的レイヤレベルにおいて確認することである。本発明に関するセルは、互いに通信することを意図した無線ネットワークのワイヤレスステーション群である。セルの一例は、セルの各ステーションが通信するアクセスポイントと呼ばれる１つのステーションが存在するインフラストラクチャネットワークである。セルの他の例は、互いに通信するステーションのアドホックネットワークである。
【００１３】
そのような各セルは、カバーエリアを有するよう構成される。ビルなどの大きなエリアをカバーするため、このようなセルが多数使用される。
【００１４】
本発明は、ＩＥＥＥ８０２．１１規格に準拠するワイヤレスローカルエリアネットワークに適用される本発明の特徴を説明したものである。特に、本説明は、ＩＥＥＥ８０２．１１規格のＯＦＤＭ変形、特にＩＥＥＥ８０２．１１ａに準拠するネットワークに適用されるが、８０２．１１ｂ、８０２．１１ｇ又は８０２．１１ｎと呼ばれ現在開発されている新しいＰＨＹ規格に準拠するものなど、ＩＥＥＥ８０２．１１規格に準拠する他のネットワークなどの他の無線データネットワークに適用可能である。
【００１５】
本発明の一特徴は、セルのすべてのステーションにより送信されるパケットにセル識別情報を含めることによって、ＩＥＥＥ８０２．１１ネットワークに準拠するものなど、無線ネットワークのセルのステーションにおいて受信されるセル間パケットとセル内パケットを区別することを可能にする。本発明の他の特徴は、ある符号化法を用いてセル識別情報を符号化することにより、セル識別情報のロウバストな通信を提供する。Ｎ１と記される第１のビット数をセルのセル識別情報のために提供されるビット数とする。本特徴によると、Ｎ１のビットが、セル識別情報のロウバストな通信を提供するため符号化法に従って、Ｎ１より大きなＮ２と記される第２のビット数の符号化形式に符号化される。
【００１６】
図１は、８０２．１１ａパケットの構成を示す。それは、１０のショートシンボルの第１部分１０３と、２つのロングシンボル１０７と１０９及びガードインターバル１０５の第２部分を有する１６μｓプリアンブルからスタートする。ショートシンボルは、スタート・オブ・パケット（ｓｔａｒｔ−ｏｆ−ｐａｃｋｅｔ）検出、ベスト受信アンテナの選択（アンテナダイバーシチが与えられる場合）、自動ゲイン制御（ＡＧＣ）、時間同期及び周波数同期に利用される。ロングシンボル部分は、典型的には、チャネル推定のためのものである。プリアンブル１０１は、ＢＰＳＫ変調を利用して最も低いレートに変調されるＳＩＧＮＡＬフィールド１１１（ガードインターバルを含む）と呼ばれる第１フィールドを有し、変調されたペイロードの残りがどのデータレートにより変調されるか、パケットの残りの部分のデュレーションに関する情報を含む変調されたペイロード（ＯＦＤＭデータ）に続く。パケットの残りはデータ１１３であり、６、９、１２、１８、２４、３６、４５又は５４Ｍｂｐｓの１つなど、ＳＩＧＮＡＬフィールドに指定される関連する変調としてデータレートにより変調される。最終的には、データ部分１１３は、ＭＡＣアドレスとパケットペイロード自体を含む。
【００１７】
クライアントステーションとアクセスポイントの配置が比較的密である多くの無線ネットワークでは、アクセスポイント又はクライアントステーションであるかもしれないワイヤレスステーション（ＳＴＡ）は、典型的には、それのセル内の他のＳＴＡから、また他のセルのＳＴＡからパケットを受信する。他のセルからのものは、同一チャネル干渉を構成する。パケットがセル内部又は他のセルからのものであるか確認する従来技術による方法は、ＯＦＤＭデータペイロードからＭＡＣアドレスを抽出し、セル内のすべてのＭＡＣアドレスを追跡することである。この従来技術による方法は、以下の問題点を有する。
１．ＭＡＣアドレスは、パケットの比較的後において現れるため、当該情報を復元するには、受信ＳＴＡに比較的長い時間かかる。
２．ＭＡＣアドレス情報は、しばしば５４Ｍｂｐｓまでの大変高いデータレートにおいて符号化され、このため、受信ＳＴＡは必要とされる情報を全く復元することができないかもしれない。
【００１８】
ときどき「メッセージ・イン・メッセージ（ｍｅｓｓａｇｅ  ｉｎ  ｍｅｓｓａｇｅ）又は「ストンプ・アンド・リスタート（ｓｔｏｍｐ  ａｎｄ  ｒｅｓｔａｒｔ）」と呼ばれる他の既知の方法により、受信ステーションは、受信信号の信号強度を記憶するが、それのスタート・オブ・パケット検出回路をアクティブに維持する。他のより強い信号が到来する場合、受信機は、より弱い信号に対する処理を中断し、より強い信号を復調するようにする。
【００１９】
本発明の一特徴は、パケットのセル識別情報をより早くよりロウバストなデータレートにより伝達する機構を提供する。
【００２０】
１０のショートシンボルは、ｔ０，ｔ１，．．．，ｔ９と記され、ＩＥＥＥ８０２．１１ａ規格に従って、各シンボルは、１０回繰り返される同一のショートシンボルとなる。各パケットが複数のショートシンボルを含むプリアンブルを有するＯＦＤＭ実施例では、各同一チャネルセルに異なるシーケンスが与えられるように、最後の少数のショートシンボルが符号化される。これは、セル識別（「Ｃｅｌｌ−ＩＤ」）を構成する。その後、受信機の物理的レイヤは、受信したパケットがセル間又はセル内送信機からのものであるか、すなわち、受信したセルが当該セルのすべてのステーションがＣｅｌｌ−ＩＤを含むパケットを送信する際に、受信ステーションのセルのＣｅｌｌ−ＩＤを含むか否か確認することができる。パケットがセル間送信機からのものである場合、受信機は、パケットの始まりにおいて処理を終了することができる。これは、そうでない場合に媒体が占有される時間量を最小化するか、あるいは少なくとも低減する。
【００２１】
図２Ａ及び２Ｂは、ショートシンボルのＣｅｌｌ−ＩＤ情報を符号化する実施例の第１バージョンを示す。第１バージョンによると、ＢＰＳＫ符号化は、最後の４つのショートシンボル２０５に用いられる。ショートシンボルの振幅の符号が符号化に利用される、ショートシンボルの符号が最初のいくつかのショートシンボルのものと異なるとき、それは「１」を表す。ショートシンボルの符号が最初のいくつかのショートシンボルのものから変化しないとき、それは「０」を表す。図２Ａは、１１のＣｅｌｌ−ＩＤによるセルの符号化を示し（コード｛１０１１｝）、図２Ｂは、７のＣｅｌｌ−ＩＤによるセルの符号化を示す（コード｛０１１１｝）。この方法を利用して、最後の４つのショートシンボルにより１６セルが区別される。
【００２２】
図３Ａ及び３Ｂは、ＱＰＳＫ（Ｑｕａｒｔｅｎａｒｙ  Ｐｈａｓｅ  Ｓｈｉｆｔ  Ｋｅｙｉｎｇ）がセル識別情報の８ビットをシンボルに符号化するため最後の４つのショートシンボル２０５に対し使用される第２のバージョンを示す。一実施例は、以下のテーブル１に示される変調技術を利用する。
【００２３】
【表１】
2007507976.tif 000003
図３Ａは、Ｃｅｌｌ−ＩＤコード０００１１１１０の符号化を示し、図３Ｂは、Ｃｅｌｌ−ＩＤコード１０１１００１１の符号化を示す。
【００２４】
最後のいくつかのショートシンボルに符号化されるＣｅｌｌ−ＩＤは、例えば、Ｎビットコードに対して２Ｎのセルなど、１つのチャネル上の各セルを識別するのに利用可能である。従って、最後の４つのショートシンボルのＱＰＳＫにより、Ｃｅｌｌ−ＩＤは同一のチャネルの２５６のセルを識別することができる。他のバージョンでは、２Ｎチャネルより少数のものの１つに対する識別子が、よりロウバストな方法によりＣｅｌｌ−ＩＤ情報を伝えるため、Ｎビットブロックコードに符号化される。従って、最後の４つのショートシンボルのＱＰＳＫにより、Ｃｅｌｌ−ＩＤは１６、３２、６４又は１２８のセルを識別することができる。
【００２５】
各パケットがパケット符号化方法に関する情報を提供し、リザーブド又はエンプティビットを含む当該規格によるフィールドを含む他の実施例によると、セルのステーションにより送信されるパケットのフィールドのリザーブド又はエンプティビットの一部又はすべてが、当該セルのセル識別情報を伝える。
【００２６】
図４Ａは、ＩＥＥＥ８０２．１１規格のＯＦＤＭ変形に正確に準拠するＰＣＬＰヘッダ２００を示す。図４Ａに示されるＰＬＣＰヘッダは従来技術によるものであるが、ここで説明されるようなセル識別情報を含むこのようなヘッダは、従来技術によるものではない。ＰＣＬＰヘッダ４００は、低データレートにより変調される３バイトＳＩＧＮＡＬフィールド１１１からスタートし、特に、ＳＩＧＮＡＬは１／２のレートによりＢＰＳＫにより変調され、パケットの残りが符号化されるデータレートを含むパケットに関する情報を提供する。
【００２７】
ＳＩＧＮＡＬフィールド１１１は、ＳＩＧＮＡＬにおいて指定されるペイロードデータレートにより変調される２バイトＳＥＲＶＩＣＥフィールド４０５に続く。パケットの残りの部分、すなわち、ＰＬＣＰサービスデータユニット（ＰＳＤＵ）は、ＳＩＧＮＡＬフィールド１１１に指定されるペイロードデータレートのＤＡＴＡを含む。
【００２８】
図４Ｂは、５バイトのＰＣＬＰヘッダの各ビットを示す。図４Ｂに示されるＰＬＣＰヘッダは従来技術によるものであるが、ここで説明されるセル識別情報を含むこのようなヘッダは、従来技術によるものではない。ＳＩＧＮＡＬフィールド１１１は、データレートに関する情報を提供するＲａｔｅ［０］〜Ｒａｔｅ［３］により記される４ビットのＲＡＴＥフィールドを含む。ＲＡＴＥ情報は、用いられる変調方法と符号化レートを決定する。ＲＡＴＥフィールドは、常に「０」であるリザーブドビット４１３と、Ｌｅｎｇｔｈ［０］〜Ｌｅｎｇｔｈ［１１］により記されるビットを有する１２ビットのＬＥＮＧＴＨフィールドに続く。ＬＥＮＧＴＨフィールドは、パリティビット４１５に続く。これは、「０」となるべき未使用ビットであるＴａｉｌ［０］〜Ｔａｉｌ［５］により記されるＳＩＧＮＡＬフィールドの６テールビット４１７に続く。ＳＩＧＮＡＬフィールドは、正当な組み合わせを含むことに留意されたい。ＲＡＴＥフィールドを検討する。４ビット、すなわち、１６の組み合わせが存在するが、８つのみが完全に準拠するパケットに対して想定される。ＬＥＮＧＴＨフィールドは、１６００以上の値など、不正な組み合わせを同様に有する。
【００２９】
一実施例は、セル識別情報を伝えるため、ＳＩＧＮＡＬフィールド１１１の未使用ビットを利用する。ＲＡＴＥ及びＬＥＮＧＴＨフィールドの未使用（不正）の組み合わせと共にリザーブドビット４１３は、Ｃｅｌｌ−ＩＤを提供する。従って、本実施例によると、セル識別情報がＳＩＧＮＡＬフィールド１１１に含まれているか示すのにリザーブドビット４１３が使用され、含まれている場合、セル識別情報が、ＲＡＴＥ及びＬＥＮＧＴＨフィールドの組み合わせから抽出される。
【００３０】
他の実施例によると、パケットは、ＩＥＥＥ８０２．１１規格のＯＦＤＭ変形に関する仕様に従う。時間の経過によりＩＥＥＥ規格の新たなＯＦＤＭ変形となりうるこのような関連する仕様によると、ＳＩＧＮＡＬフィールドは、パケットの残りの部分がどのように符号化されるかに関する情報を提供するだけでなく、セル識別情報を伝える。この追加的な情報は、第２のＳＩＧＮＡＬフィールド又は単独の拡張ＳＩＧＮＡＬフィールドに含まれてもよく、この「拡張ＳＩＧＮＡＬフィールド」の用語は、８０１．１１ａＳＩＧＮＡＬフィールドの拡張、又は第２のＳＩＧＮＡＬフィールドと共に８０２．１１ａＳＩＧＮＡＬフィールドなどのフィールドを意味する。第２のＳＩＧＮＡＬフィールドはまた、第１のＳＩＧＮＡＬフィールドと同様の低レートにおいて変調される。このような拡張されたＳＩＧＮＡＬフィールドは、セル識別情報を含む。他の実施例では、拡張されたＳＩＧＮＡＬフィールドはまた、使用される空間チャネル数（空間処理については以下を参照されたい）、使用される周波数チャネル数、及び追加の変調タイプ情報の１以上を含む。一実施例は、拡張されたＳＩＧＮＡＬフィールドにおいて、Ｃｅｌｌ−ＩＤについては６ビット、ｍｏｄタイプについては４ビット、空間チャネルについては３ビット、周波数チャネル数については３ビット、及び本発明に関連しないさらなる情報を含む。
【００３１】
さらなる他の実施例によると、利用される規格に従って、エンプティ又はリザーブドであるパケットの変調部分のビットは、同一チャネルのセルを区別するためセル識別情報を伝えるのに利用される。特に、ＩＥＥＥ８０２．１１規格のＯＦＤＭ変形については、ＳＥＲＶＩＣＥフィールドビットの一部が符号化される。
【００３２】
３バイトのＳＩＧＮＡＬフィールド１１１は、Ｓｃｒａｍ＿Ｉｎｉｔ［０］〜Ｓｃｒａｍ＿Ｉｎｉｔ［６］により記される７ビットのランダムスクランブラ初期化ビットを有し、９ビットのＳＥＲＶＩＣＥフィールド４１９ビットは、Ｓｅｒｖｉｃｅ［７］〜Ｓｅｒｖｉｃｅ［１５］により記される。後者は、ＩＥＥＥ８０２．１１規格のＯＦＤＭ変形に正確に準拠するようすべてが「０」となるべき未使用ビットである。
【００３３】
本発明の一実施例は、セル識別情報を伝えるため、９ビットの未使用ビットＳｅｒｖｉｃｅ［７］〜Ｓｅｒｖｉｃｅ［１５］のすべて又は一部を使用する。９ビットのすべてが使用されている場合、５１２個までのセルが１つのチャネル上で識別可能である。他のバージョンでは、９ビットより少ないＣｅｌｌ−ＩＤがブロックコードを用いて９ビットに符号化され、さらなる他のバージョンでは、Ｓｅｒｖｉｃｅ［７］〜Ｓｅｒｖｉｃｅ［１５］の９ビットより少数のビットが、セル識別情報を伝えるのに利用される。一バージョンは、１バイトの情報である図４Ｂにおいて示されるバイト５、すなわち、Ｓｅｒｖｉｃｅ［８］〜Ｓｅｒｖｉｃｅ［１５］のビットを利用する。一実現形態は、これら８ビットを利用して、同一チャネルの２５６個までのセルを特定するのに利用し、他の実現形態は、Ｓｅｒｖｉｃｅ［８］〜Ｓｅｒｖｉｃｅ［１５］の８ビットに符号化された８ビットのブロックより少数のＣｅｌｌ−ＩＤを利用して、よりロウバストにこれらのビットを伝える。
【００３４】
図４Ａ及び４Ｂは、ＩＥＥＥ８０２．１１規格のＯＦＤＭ変形の１つに正確に準拠するパケットについて従来技術によるものであり、Ｃｅｌｌ−ＩＤがサービスビットに符号化されるとそれらは従来技術でなくなるということに留意されたい。
【００３５】
Ｃｅｌｌ−ＩＤをパケットヘッダのサービスビットの未使用ビットに符号化する方法は、ショートシンボルの少なくとも一部を符号化する第１の方法に対して２つの問題点を有する。第１に、これらショートシンボルは、プリアンブルにあり、このため、ＰＬＣＰヘッダのサービスビットより早く決定されるかもしれない。第２に、サービスビットは、５４Ｍｂｐｓと同程度のパケットのデータレートにより符号化及び変調される。同一チャネル干渉装置からこれらのビットを受信するＳＴＳは、弱い信号によりビットを復号しようとするかもしれず、情報復号化ではエラーをするかもしれない。
【００３６】
本発明の他の特徴は、上述の方法の１つを利用してパケットにおいて伝えられるＣｅｌｌ−ＩＤを用いて、パケットがそれ自体のセルから、又はチャネル干渉セルからものであるか確認することが可能な信号プロセッサを有する無線受信機である。
【００３７】
図５は、本発明の実施例を有する無線ネットワークノード５００の機能ブロック図である。ノード５００は、例えば、ＰＣＭＣＩＡワイヤレスＬＡＮカード上に実現可能であり、サービス周波数の少なくとも１つのアンテナを有するアンテナサブシステム５０２と（例えば、約２．４ＧＨｚ及び／又は約５ＧＨｚなど）、半二重処理の場合には送受信（Ｔ／Ｒ）スイッチを有し、ダイバーシチの場合にはアンテナを選択するためのダイバーシチスイッチを有するアンテナサブシステム５０３とを物理的レイヤインタフェース（ＰＨＹプロセッサ）５０１を含む。アンテナサブシステムは、一実施例では単一のチップとして実現される無線トランシーバ５０９に接続される。トランシーバの受信チェーンは、低ノイズアンプ（ＬＮＡ）５０６と、受信機ラジオ周波数（ＲＦ）電子５０６とを有する。トランシーバ５０９の送信部は、送信ＲＦ電子５０７とパワーアンプ（ＰＡ）５０８とを有する。トランシーバは、アナログ受信信号を提供し、受信部５１３、送信部５１５、及び設定可能な閾値以下の強度の信号がスタート・オブ・パケット検出器をトリガーしないように、設定可能な信号強度レベルを有するスタート・オブ・パケット（ＳＯＰ）検出器５１８などを含む制御部５１７を含むモデム５１１からの送信のためアナログ信号を受信する。制御部５１７はさらに、自動ゲイン制御を実現し、本発明の特徴によると、受信したパケットにおいて伝えられるセル識別情報を決定し、他の特徴では、パケットが当該ノードが属する以外のセルからのものであるか確認することを含む。受信部は、設定可能な閾値以下の強度の信号がスタート・オブ・パケット検出器をトリガーしないように、設定可能な信号強度レベルを有するスタート・オブ・パケット検出器を含む。モデムは、受信信号及び送信信号のためＲＦアナログインタフェースを介し、ゲイン制御及び状態としてこのような制御信号のためのＲＦデジタルインタフェースを介し無線トランシーバに接続される。
【００３８】
システム５００はさらに、レイヤ−２処理のため、ＭＡＣ（Ｍｅｄｉｕｍ  Ａｃｃｅｓｓ  Ｃｏｎｔｒｏｌｌｅｒ）プロセッサ５１９を有する。ＭＡＣプロセッサは、モデムからペイロードデータを受信し、データインタフェースを介しモデム５１１にペイロードデータを提供する。ＭＡＣプロセッサはさらに、モデム５１１の各種状態及びデータレジスタのＭＡＣプロセッサへのアクセスを提供するデジタルインタフェースを介しモデム５１１に接続される。
【００３９】
一実施例では、ＭＡＣプロセッサは、ホストバスサブシステム５２３を介しホストプロセッサ５２１に接続される。図５は、独立したホストプロセッサを示すが、ホストプロセッサ機能は、他の実施例では、ＭＡＣプロセッサ５１９と共に搭載されてもよい。一実施例では、プログラムの格納のため、ＲＡＭ（Ｒａｎｄｏｍ  Ａｃｃｅｓｓ  Ｍｅｍｏｒｙ）要素５２５などのメモリが含まれる。メモリ５２５は、ホスト及び／又はＭＡＣプロセッサに直接接続されてもよい。また、バッファリングなどのために追加的なメモリがあってもよく、簡単化のため、このような追加的メモリは、メモリ５２５に含まれると仮定される。周知の工業規格ＰＣＭＣＩＡ、ＰＣＩ、ＵＳＢなどに準拠する１以上のインタフェースが、含まれてもよい。
【００４０】
一部の実施例は、２以上の送信アンテナ、２以上の受信アンテナ、又は送受信用の複数のアンテナなどのアンテナダイバーシチを利用するようにしてもよい。ダイバーシチは、空間ダイバーシチにより、アンテナに異なる分極を有するなどによって提供されてもよい。アンテナは、スイッチ又は合成されてもよい。このような処理は、フェーディングを含む環境においてパフォーマンスを向上させることが知られており、ＳＤＭＡ（Ｓｐａｔｉａｌ  Ｄｉｖｉｓｉｏｎ  Ｍｕｌｔｉｐｌｅ  Ａｃｃｅｓｓ）を提供するのに利用されてもよい。
【００４１】
システム５００の一実施例は、ワイヤレスローカルエリアネットワーク（ＬＡＮ）アプリケーションのためのＩＥＥＥ８０２．１１規格の１以上の変形と互換性を有する。ＲＦトランシーバ５０９とモデム５１１は、ＩＥＥＥ８０２．１１ＰＨＹ変形の１以上のためのＯＳＩレイヤ−１物理的レイヤ（ＰＨＹ）機能の完全な無線エンジンを構成し、ＭＡＣ５１９は実質的にＩＥＥＥ８０２．１１に互換する。
【００４２】
図６は、Ｃｅｌｌ−ＩＤ１１を有する第１セル６０３とＣｅｌｌ−ＩＤ７を有する第２セル６０５を含む、本例では隣接するセルである簡略化された形式による２つのセルを示す。アクセスポイント（ＡＰ）６０７と第１セル６０３のすべてのクライアントステーション（Ｃにより記される）は、Ｃｅｌｌ−ＩＤ１１を伝えるパケットを送信する。同様に、アクセスポイント６０９と第２セル６０５のすべてのクライアントステーション（また、Ｃにより記される）は、Ｃｅｌｌ−ＩＤ７を伝えるパケットを送信する。異なる実施例は、上述の方法を伝える各自のＣｅｌｌ−ＩＤを利用する。セル６０５からのクライアントの一部及び／又はＣｅｌｌ−ＩＤ７を有するＡＰ６０９は、セル６０３（Ｃｅｌｌ−ＩＤ１１）のアクセスポイント６０７においてスタート・オブ・パケットイベントをトリガーするのに十分な強さを有する信号を送信するかもしれない。同様に、セル６０３のクライアントの一部は、セル６０５（Ｃｅｌｌ−ＩＤ７）のアクセスポイント６０９においてスタート・オブ・パケットイベントをトリガーするのに十分な強さの信号を送信するかもしれない。
【００４３】
本発明の他の特徴は、セルに属しない他のステーションからの干渉を軽減するため、ステーションと同一のセルの他のステーションからのものではないと確認される受信パケットの情報を利用する受信ステーションである。
【００４４】
図５を参照するに、ステーションのモデムは、設定可能な閾値以下の受信信号強度の信号がスタート・オブ・パケット検出器をトリガーしないように、設定可能な信号強度レベルを有するスタート・オブ・パケット（ＳＯＰ）検出器を含む。受信信号強度は、トランシーバ５０９の受信部５０６におけるＲＳＳＩ（Ｒｅｃｅｉｖｅｄ  Ｓｉｇｎａｌ  Ｓｔｒｅｎｇｔｈ  Ｉｎｄｉｃａｔｉｏｎ）により示される。従って、セルの各ステーションは、閾値より強力なパケットが処理され、閾値より弱いパケットは処理されないように、スタート・オブ・パケット閾値を有する。本発明の一特徴は、ステーションにおいて受信され、セルの他のステーションからのものではないと確認される１以上の信号強度に従って、ＳＯＰ閾値を調整することである。図は、アクセスポイント６０７における信号強度分布（各受信信号強度により到着するパケット数）を示し、本発明の当該特徴により図６に示される２つのセルに対して、セル識別情報がスタート・オブ・パケット閾値を調整するのにどのように利用されるかを示す。Ｃｅｌｌ−ＩＤ７を有するセル６０５から到着する信号からの受信信号強度の分布は曲線７０３として示され、Ｃｅｌｌ−ＩＤ１１を有するセル６０３から到着する信号からのエネルギー分布は曲線７０５として示される。ＩＥＥＥ８０２．１１ａ規格に準拠するステーションの典型的な受信機は、比較的弱い信号を検出することができる。それは、図に示されるスタート・オブ・パケット閾値より強力な信号を確実に検出する。最初に調整されるとき、図７は、セル６０３（Ｃｅｌｌ−ＩＤ１１）のステーションから到着するすべての信号と、セル６０５（Ｃｅｌｌ−ＩＤ７）のステーションから到着するほとんどすべての信号を受信機が検出することを可能にする閾値７０７を有することを示す。ある期間において、ＡＰ６０７の受信機は、ますます多くのパケットがセル６０３から構成されていないと確認されると、ＳＯＰ閾値を調整する。設定可能な期間の経過後、又は他の実施例によると、設定可能な個数のセル外のパケットが検出された後、ＳＯＰ閾値は、ＡＰ６０７の受信機がセル６０５からの信号の過半数によりトリガーされることを回避するため、新たな値７０９に調整される。これは、セル６０３内のトラフィックのスループットを向上する。
【００４５】
図８は、アンテナ要素アレイと、アンテナ要素アレイに接続される無線受信機群と、適応的なスマートなアンテナ処理方針に従って受信信号を構成することが可能な無線受信機に接続される空間プロセッサとを有する無線ステーションを示す。それは、他のステーションから受信する際に（すなわち、特定ステーションのアップリンクを介し）干渉を拒絶し、又は、当該ステーションから他のステーションに送信する際に（すなわち、特定ステーションからのダウンリンクを介し）空間又は空間時間選択法によりパワーを送出するため、複数のアンテナを搭載する通信ステーションにおける適応的スマートアンテナ処理を利用することが知られている。
【００４６】
本発明のさらなる他の特徴によると、図８に示されるような受信機はパケットを受信する。受信機は、すべてのステーションが、例えば、上述される実施例の何れかに従って、セル識別情報を含むパケットを用いて通信するセルの一部である。従って、そのようなステーションは、受信パケットがセル内のステーションからのものであるか確認することができる。このようなパケットがセル外のステーションからのもの、すなわち、同一チャネル干渉装置からのものであると判断されると、スマートアンテナ処理は、このようなセル外の干渉装置からの干渉を軽減する受信方針を利用する。
【００４７】
干渉装置からのデータが、例えば、設定可能な期間において収集された後、又は設定可能数の干渉パケットが受信された後、異なるスマートアンテナ処理方針が、異なる方法により干渉を軽減するのに利用されてもよい。これらのいくつかは、以下を含む。
・セル内ステーションから受信した信号の信号エネルギーを最大化しながら、あるエネルギー測定によりセル外信号からの信号エネルギーを一定に維持する
・セル外ステーションから受信した信号からの信号エネルギーを最小化しながら、あるエネルギー測定によりセル内信号からの信号エネルギーを一定に維持する
・あるエネルギー測定によるセル内ステーションからの信号エネルギーのセル外ステーションからの信号エネルギーに対する比率を最大化する
・ＳＯＰイベントがセル外のパケットからトリガーされる可能性を最小化する
・セル外にあると確認されるステーションから以前に受信したパケットに基づき、セル外干渉装置であると知られるステーションに対してヌルを導く
図８は、アンテナアレイのＭ個のアンテナ要素を有する通信ステーションを示す。図８に示される者と類似した要素を有するシステムは従来技術によるものであるかもしれないが、本発明の特徴を実現する図８のものなどのシステムは、従来技術によるものではない。
【００４８】
図８のシステムでは、送受信（ＴＲ）スイッチ８０５は、それぞれが受信電子８１３−１，．．．，８１３−Ｍと送信電子８１５−１，．．．，８１５−Ｍをそれぞれ有するＭ個の無線送受信装置（トランシーバ）８０７−１，．．．，８０７−Ｍに接続されるＭ個のアンテナ要素８０３−１，．．．，８０３−Ｍのアンテナアレイ間で接続される。図示された実施例では、ステーションは、アンテナ要素が送信モード時には送信電子８１５−１，．．．，８１５−Ｍを、受信モード時には受信電子８１３−１，．．．，８１３−Ｍをアンテナの１以上の要素と選択的に接続するのに利用されるデュプレクサ８０５を開始トランシーバに接続されるように、送受信のため同一のアンテナアレイを使用する。他の実施例は、全二重処理を提供する。
【００４９】
受信電子８１３−１，．．．，８１３−Ｍ及び送信電子８１５−１，．．．，８１５−Ｍの一部は、アナログ電子を用いて、他の部分はデジタル電子により実現される。一実施例では、受信電子８１３−１，．．．，８１３−Ｍの出力は、空間プロセッサ８０９への入力としてデジタル化された信号を生成する。空間プロセッサ８０９は、スマートアンテナ処理方針を実現するためのソフトウェア及び／又はハードウェアを搭載する。受信モードでは、空間プロセッサ８０９は、スマートアンテナ受信処理方針に従って、構成される受信信号を構成する。構成された信号は、モデム８１７とその後にＭＡＣプロセッサ８１１に入力される。送信モードでは、モデム８１７は、ＭＡＣプロセッサ８１１から信号を受信し、空間プロセッサ８０９に入力される送信用の信号を構成する。その後、空間プロセッサ８０９は、スマートアンテナ送信処理方針に従って構成された送信用の信号群を構成する。これらの信号は、トランシーバ８０７−１，．．．，８０７−Ｍに入力される。
【００５０】
図８は同じアンテナ要素が送受信両方に利用されるトランシーバを示しているが、送受信に別々のアンテナが利用可能であり、受信のみ、送信のみ、又は送受信両方が可能なアンテナは、適応的スマートアンテナ処理と共に利用可能であるということは、明確であるべきであることに留意されたい。
【００５１】
本発明の一特徴によると、ステーションが当該ステーションのセルからのものではないと確認されるパケットを受信した後、ステーションは、パケットの受信信号に関する情報を格納し、この格納されている情報を利用して、受信時の干渉を軽減する。本発明の他の特徴によると、ステーションが当該ステーションのセルからのものではないと確認されるパケットを受信した後、ステーションはパケットの受信信号に関する情報を格納し、干渉パケットを送信した可能性があるステーションが、送信を受信する可能性を低下させるような方法により送信するため、格納されている情報を利用する。
【００５２】
本発明の一特徴は、適応的スマートアンテナ処理のためリニア空間処理を利用する。アップリンク通信中、振幅及び位相調整が、典型的には、対象とはならない信号又はノイズ、すなわち、干渉を最小化しながら、対象となる信号を選択する（すなわち、優先的に受信する）ためアンテナアレイ要素において受信される各信号に必ずしもベースバンドにおいてではなく適用される。
【００５３】
このようなベースバンド振幅及び位相調整は、複素数ウェートにより記述することができ、アレイのすべての要素の受信ウェートは、複素ベクトル、すなわち、受信ウェートベクトルにより記述することができる。同様に、ダウンリンク信号は、アンテナアレイの各アンテナにより送信されるベースバンド信号の振幅及び位相を調整することにより処理される。このような振幅及び位相制御は、複素数ウェート、すなわち、送信ウェートと、複素ベクトル、すなわち、送信ウェートベクトルによりアレイのすべての要素のウェートにより記述することが可能である。
【００５４】
一部のシステムでは、受信（及び／又は送信）ウェートは、時間処理を含み、そのような場合、受信（及び／又は送信）ウェートは、周波数の関数であって、周波数領域、又は等しくは畳み込みカーネルとして適用される時間の関数に適用される。あるいは、サンプルされた信号については、各畳み込みカーネルはそれ自体は複素数群により記述されてもよく、これにより、畳み込みカーネルのベクトルは、Ｍ個のアンテナが存在し、各カーネルがＫ個のエントリを有する場合には、ＫＭ個のエントリのベクトルとなる複素数ウェートベクトルとして書き換えられてもよい。
【００５５】
受信モードでは干渉拒絶のため、送信モードでは選択的なパワー送出のための空間処理を決定するための多くの方法が知られている。具体例として、最小自乗ビームフォーミング（ｌｅａｓｔ−ｓｑｕａｒｅ  ｂｅａｍｆｏｒｍｉｎｇ）及びゼロフォーシングビームフォーミング（ｚｅｒｏ−ｆｏｒｃｉｎｇ  ｂｅａｍｆｏｒｍｉｎｇ）があげられる。選択的なパワー送出は、競合する各目的をバランスさせる必要がある。一般に、あるリモートユーザに送出されるパワーは、他のリモートユーザに送出されるパワーを最小化しながら、同時に最大化することは不可能である。より一般には、複数のリモートユーザがパワー最小化（すなわち、ヌル処理（ｎｕｌｌｉｎｇ））を求める場合、それぞれに送出される相対的なパワーは、トレードオフされる必要がある。このトレードオフは、いくつかの要素に基づくものとすることができる。例えば、与えられた干渉装置（同一チャネルユーザであるかもしれない）に対して、よりディープなヌル（すなわち、送信中に干渉装置に向けられる送信パワーの減少、又は受信中に干渉装置から送信される信号に対する感度の低下）は、異なる特定の通信ステーションと通信するリモートユーザに対してではなく、特定の通信ステーションに確立された空間チャネルに共に参加するリモートユーザに対して必要とされるかもしれない。
【００５６】
ゼロフォーシング法によると、特定のステーションは、干渉装置などの他のステーションの空間シグネチャ（又は、空間時間シグネチャ）を認識している。受信空間シグネチャ及び受信空間時間シグネチャは、干渉又は他の加入ユニットが存在しない場合、特定の加入ユニットから特定のステーションのアンテナアレイが信号をどのように受信するかを特徴付けする。あるリモートユーザの送信空間シグネチャと送信空間時間シグネチャは、干渉がない場合には、他のステーションが特定のステーションから信号をどのように受信するかを特徴付けする。空間及び空間時間シグネチャを利用する空間処理及び空間時間処理方法については、Ｂａｒｒａｔｔらによる米国特許第５，５９２，４９０号「ＳＰＥＣＴＲＡＬＬＹ  ＥＦＦＩＣＩＥＮＴ  ＨＩＧＨ  ＣＡＰＡＣＩＴＹ  ＷＩＲＥＬＥＳＳ  ＣＯＭＭＵＮＩＣＡＴＩＯＮ  ＳＹＳＴＥＭＳ」と、Ｏｔｔｅｒｓｔｅｎらによる米国特許第５，８２８，６５８号「ＳＰＥＣＴＲＡＬＬＹ  ＥＦＦＩＣＩＥＮＴ  ＨＩＧＨ  ＣＡＰＡＣＩＴＹ  ＷＩＲＥＬＥＳＳ  ＣＯＭＭＵＮＩＣＡＴＩＯＮ  ＳＹＳＴＥＭＳ  ＷＩＴＨ  ＳＰＡＴＩＯ−ＴＥＭＰＯＲＡＬ  ＰＲＯＣＥＳＳＩＮＧ」を参照されたい。シグネチャは、スマートアンテナ処理が空間的又は時間空間的なものであるかに応じて、空間シグネチャ又は空間時間シグネチャであってもよいため、シグネチャという用語がここで使用され、シグネチャが空間的又は時間的なものであるかは、処理が空間的又は空間時間的なものであるかに依存し、シグネチャが送信又は受信シグネチャであるかはコンテクストに依存し、コンテクストから当業者にとってどのシグネチャが明らかであるかということに留意されたい。
【００５７】
本発明の実施例は、セル識別情報からの干渉装置であると（又はそれの欠落）確認されるリモート送信機のシグネチャを決定する。
【００５８】
アップリンク又はダウンリンク方向に正確かつディープなヌルを向ける方法が知られている。また、例えば、このようなヌルディープニングについて利用すべき１以上の干渉装置の方向に１以上のシグネチャを推定する方法が知られている。干渉装置の方向に正確かつディープなブルを向けるため、干渉装置のシグネチャ推定を利用するための方法が知られている。提供された適応的スマートアンテナ処理方針のゲインパターン及びヌル処理を実質的に維持しながら、１以上の干渉装置の方向に正確かつディープなヌルを向けるための方法が知られている。例えば、複数のアンテナを使用する通信ステーションにおいて、１以上のヌルが制御された深さを有するリニアスマートアンテナ処理のためのアップリンク又はダウンリンクの形式による改善されたアップリンク又はダウンリンク処理方針を決定する方法を記載するＬｅｉｆｅｒらによる米国特許出願２００２／００１３１６４号「ＮＵＬＬ  ＤＥＥＰＥＮＩＮＧ  ＦＯＲ  ＡＮ  ＡＤＡＰＴＩＶＥ  ＡＮＴＥＮＮＡ  ＢＡＳＥＤ  ＣＯＭＭＵＮＩＣＡＴＩＯＮ  ＳＴＡＴＩＯＮ」を参照されたい。当該方法は、アップリンク及びダウンリンク方針計算のための各種既知の技術に改良として適用することができる。この方法は、制御されたヌルが向けられるべきリモートユーザのシグネチャのみをサイド情報として必要とする。シグネチャ推定が利用可能ではないアレイパターンの他のヌルは、実質的に保存される。
【００５９】
空間及び空間時間シグネチャを利用する上述の米国特許第５，５９２，４９０号及び第５，８２８，６５８号に説明される方法に加えて、干渉を軽減するため受信信号を処理する際に適用されるべきウェートベクトルを決定するための他の方法もまた知られている。これらは、加入者ユニットからの信号の到来方向を決定する方法と、空間又は空間時間シグネチャなどの加入者ユニットの空間又は空間時間特徴を利用する方法を含む。例えば、到来方向を利用する方法については、Ｒｏｙらによる米国特許第５，５１５，３７８号及び第５，６４２，３５３号「ＳＰＡＴＩＡＬ  ＤＩＶＩＳＩＯＮ  ＭＵＬＴＩＰＬＥ  ＡＣＣＥＳＳ  ＷＩＲＥＬＥＳＳ  ＣＯＭＭＵＮＩＣＡＴＩＯＮ  ＳＹＳＴＥＭＳ」を参照されたい。
【００６０】
トレーニング信号又はサイレント期間などの事前的知識に頼ることなく、すなわち、何れのウェートが既知のシンボルシーケンスを最も良く推定することが可能か決定することなく（又はサイレント期間の場合には、既知のシーケンスが存在しない）、自ら信号からウェートを決定する「ブラインド（ｂｉｌｎｄ）」方法がまた知られている。このようなブラインド方法は、典型的には、加入者ユニットにより送信される信号の既知の特性を利用して、このプロパティを有するように推定された信号を制限することにより利用されるべき最善の受信ウェートを決定する。従って、ときどきプロパティ復元方法と呼ばれる。
【００６１】
次に、プロパティ復元方法は、２つのグループに分類することが可能である。シンプルなプロパティ復元方法は、例えば、復調し、その後に再変調することによって、変調された受信信号を完全に再構成することなく信号の１以上のプロパティを復元する。より複雑な復元方法は、典型的には、受信信号の再構成に依存する。
【００６２】
プロパティ復元方法は、求められるプロパティに制限される信号（「基準信号」）を決定し、その後、基準信号がリモートユーザにより送信された場合、受信アレイのアンテナ要素の信号が実際に受信された信号に許容される程度に「近い」ものとなるように、基準信号に対応するウェート群を決定する。シンプルな復元方法の一例は、ＰＭ（Ｐｈａｓｅ  Ｍｏｄｕｌａｔｉｏｎ）、ＦＭ（Ｆｒｅｑｕｅｎｃｙ  Ｍｏｄｕｌａｔｉｏｎ）、ＰＳＫ（Ｐｈａｓｅ  Ｓｈｉｆｔ  Ｋｅｙｉｎｇ）及びＦＳＫ（Ｆｒｅｑｕｅｎｃｙ  Ｓｈｉｆｔ  Ｋｅｙｉｎｇ）などを含む一定のモジュラスを有する変調スキームを利用する通信システムに適用可能なコンスタントモジュラス（ＣＭ）方法である。このＣＭ方法はまた、非ＣＭ信号に適用可能であると証明されている。他の部分的プロパティ復元技術は、信号のスペクトルセルフコヒーレンスなどの信号のスペクトルプロパティを復元する技術を含む。
【００６３】
「決定指向（ＤＤ）」方法は、受信信号をシンボル決定（復調など）することにより基準信号を構成する。このような決定指向方法は、送信された加入者ユニット信号の変調スキームが知られているという事実を利用し、その後、要求される変調スキームの特徴を有するよう制限される信号（「基準信号」）を決定する。このような場合、基準信号生成プロセスは、シンボル決定することを含む。リモートユーザにより送信される場合、実際に受信した信号に許容される程度に「近似した」アレイのアンテナ要素において信号を生成する基準信号を生成するウェートが決定される。決定指向ウェート決定方法を利用するシステムの説明については、例えば、Ｂａｒｒａｔｔらによる米国特許第５，９０９，４７０号「ＭＥＴＨＯＤ＆ＡＰＰＡＲＡＴＵＳ  ＦＯＲ  ＤＥＣＩＳＩＯＮ  ＤＩＲＥＣＴＥＤ  ＤＥＭＯＤＵＬＡＴＩＯＮ  ＵＳＩＮＧ  ＡＮＴＥＮＮＡ  ＡＲＲＡＹＳ＆ＳＰＡＴＩＡＬ  ＰＲＯＣＥＳＳＩＮＧ」及びＰｅｔｒｕｓらによる米国特許第６，２７５，５４３号「ＭＥＴＨＯＤ  ＦＯＲ  ＲＥＦＥＲＥＮＣＥ  ＳＩＧＮＡＬ  ＧＥＮＥＲＡＴＩＯＮ  ＩＮ  ＴＨＥ  ＰＲＥＳＥＮＣＥ  ＯＦ  ＦＲＥＱＵＥＮＣＹ  ＯＦＦＳＥＴＳ  ＩＮ  Ａ  ＣＯＭＭＵＮＩＣＡＴＩＯＮ  ＳＴＡＴＩＯＮ  ＷＩＴＨ  ＳＰＡＴＩＡＬ  ＰＲＯＣＥＳＳＩＮＧ」を参照されたい。
【００６４】
トレーニングデータ、すなわち、事前的に知られているシンボルを有するデータを利用するウェート決定スキームがまた知られている。このとき、トレーニングデータ（おそらく、タイミングオフセット若しくは周波数オフセット、又は両者が適用される）は、スマートアンテナ処理方針（ウェートなど）を決定するため基準信号として使用される。従って、基準信号ベース方法は、基準信号がトレーニングデータを含む場合、基準信号が送信信号のプロパティを有するよう制限された信号を有する場合、及び基準信号がシンボル決定をすることに基づき信号を構成する場合を含む。
【００６５】
非線形アップリンク及びダウンリンク処理方針もまた知られている。アップリンク方向では、このような方法は、典型的には、復調し、通信ステーションのアンテナ要素において受信される信号群から所望の他のステーションにより送信されるシンボルの推定を決定することを有する。このような処理スキームの１つの既知の例は、ブランチメトリックスを用いたＶｉｔｅｒｂｉアルゴリズムに基づくものである。これに関して、本発明は、ウェート決定を含む線形空間及び空間時間処理方法に限定されず、ウェートの決定を必ずしも含まなくともよいブランチメトリックス及びＶｉｔｅｒｂｉアルゴリズムに基づくものなどの非線形方法に等しく適用可能である。
【００６６】
以下の特許はまた、干渉軽減のためのスマートアンテナ処理について記載している。Ｒａｌｅｉｇｈらによる米国特許第６，１０１，３９９号「ＡＤＡＰＴＩＶＥ  ＢＥＡＭ  ＦＯＲＭＩＮＧ  ＦＯＲ  ＴＲＡＮＳＭＩＴＴＥＲ  ＯＰＥＲＡＴＩＯＮ  ＩＮ  Ａ  ＷＩＲＥＬＥＳＳ  ＣＯＭＭＵＮＩＣＡＴＩＯＮ  ＳＹＳＴＥＭ」、Ｒａｌｅｉｇｈらによる米国特許第６，１４４，７１１号「ＳＰＡＴＩＯ−ＴＥＭＰＯＲＡＬ  ＰＲＯＣＥＳＳＩＮＧ  ＦＯＲ  ＣＯＭＭＵＮＩＣＡＴＩＯＮ」、Ｒａｌｅｉｇｈらによる米国特許第６，４５２，９８１号「ＳＰＡＴＩＯ−ＴＥＭＰＯＲＡＬ  ＰＲＯＣＥＳＳＩＮＧ  ＦＯＲ  ＩＮＴＥＲＦＥＲＥＮＣＥ  ＨＡＮＤＬＩＮＧ」、Ｒａｌｅｉｇｈらによる米国特許第６，３７７，６３１号「ＴＲＡＮＳＭＩＴＴＥＲ  ＩＮＣＯＲＰＯＲＡＴＩＮＧ  ＳＰＡＴＩＯ−ＴＥＭＰＯＲＡＬ  ＰＲＯＣＥＳＳＩＮＧ」、及びＪｏｎｅｓ，ＩＶらによる米国特許第６，４４２，１３０号「ＳＹＳＴＥＭ  ＦＯＲ  ＩＮＴＥＲＦＥＲＥＮＣＥ  ＣＡＮＣＥＬＬＡＴＩＯＮ」があげられる。
【００６７】
従って、セル内の他のステーションにより送信されるパケットによりセル識別情報を伝えることは、セル外の送信機からの干渉を軽減するのに利用することができる。
【００６８】
さらに他の実施例によると、スマートアンテナヌルステアリング技術は、さらなる干渉軽減を実現するため、ＳＯＰ閾値を調整するための上述の方法と組み合わされる。
【００６９】
本発明の他の特徴は、このような送信パケットを受信する他のステーションが、受信した送信パケットが受信ステーションと同じセルのものであるか確認することができるように、セル識別情報を伝えるパケットを送信する方法である。セル識別情報を伝える他の実施例は、上述のような情報を伝える技術と異なるものを利用する。
【００７０】
従って、セル識別情報を伝え、当該情報を利用する各種実施例が説明された。
【００７１】
ここでは、セル識別情報が、ＩＥＥＥ８０２．１１規格のＯＦＤＭ変形の１つに準拠する無線ネットワークのパケットのプリアンブルの最後の４つのショートシンボルに符号化される実施例が説明されている。他の実施例は、セル識別情報を異なる個数及び異なるセットのショートシンボルに符号化することは、当業者には明らかであろう。他の符号化方法もまた利用可能であることは当業者には明らかであろう。他の規格は、変調された情報に先行するプリアンブルを有するパケットを利用し、本発明は、セル識別情報をプリアンブルに符号化することにより他の規格を用いる無線ネットワークにおいて利用可能であるということは当業者には明らかであろう。
【００７２】
本発明の実施例は、方法として上述された。図５及び８を参照するに、モデムはこのような方法を実現する。いくつかのモデムの実施例は、１以上のプロセッサを有し、ここで説明される各方法は、ワイヤレスステーションの一部であるプロセッサ上で実行されるコンピュータプログラムの形式により実現されてもよい。同様に、スマートアンテナ処理方法は、プロセッサ上で実行されるコンピュータプログラムにより実現されてもよい。従って、当業者により理解されるように、本発明の実施例は、方法、特定用途向け装置などの装置、データ処理システムなどの装置、コンピュータプログラムプロダクトなどの搬送媒体として実現されてもよい。搬送媒体は、方法を実現するよう処理システムを制御するための１以上のコンピュータ可読コードセグメントを搬送する。従って、本発明の特徴は、方法、完全なハードウェア実施例、完全なソフトウェア実施例、又はソフトウェアとハードウェア機能を組み合わせた実施例の形式をとりうる。さらに、本発明は、媒体に実現されるコンピュータ可読プログラムコードセグメントを搬送する搬送媒体（例えば、コンピュータ可読記憶媒体上のコンピュータプログラムプロダクトなど）の形式をとりうる。ディスケット又はハードディスクなどの磁気記憶装置、又はＣＤ−ＲＯＭなどの光記憶装置を含む任意の適切なコンピュータ可読媒体が利用されてもよい。
【００７３】
一実施例では、説明された方法の各ステップは、ストレージに格納されている命令（コードセグメント）を実行する処理システム（すなわち、コンピュータ）の適切なプロセッサ（又はプロセッサ群）により実行されるということは理解されるであろう。また、本発明は、何れか特定の実現形態又はプログラミング技術に限定されるものではなく、本発明はここで説明された機能を実現するための任意の適切な技術を用いて実現されてもよいということは理解されるであろう。本発明は、何れか特定のプログラミング言語又はオペレーティングシステムに限定されるものではない。
【００７４】
本明細書を通じて、「一実施例」又は「実施例」という表現は、当該実施例に関して説明される特定の機能、構造又は特徴が、本発明の少なくとも１つの実施例に含まれるということを意味する。従って、本明細書を通じて各所にみられる「一実施例では」又は「実施例では」という表現の出現は、必ずしもすべてが同一の実施例を参照しているとは限らない。さらに、特定の機能、構造又は特徴は、１以上の実施例において本開示から当業者には明らかなように、何れかの適切な方法により組み合わされてもよい。
【００７５】
同様に、本発明の実施例の上記説明では、本発明の各種機能が、本開示の簡略化及び本発明の各種特徴の１以上の理解に供するため、それの１つの実施例、図面又は説明にときどきグループ化される。しかしながら、本開示による方法は、請求される発明が各請求項に明示的に記載されているものより多くの機能を必要とするという意図を反映するものと解釈されるべきではない。むしろ、以下の請求項が反映するように、本発明の特徴は、１つの上述の実施例のすべての機能より少なくしかよらない。従って、詳細な説明に続く請求項は、この詳細な説明に明示的に含まれ、各請求項は、本発明の各実施例としてそれ自体に基づくものである。
【００７６】
ＩＥＥＥ８０２．１１規格の８０２．１１ａ及び８０２．１１ｇ変形などのＯＦＤＭ変形に従って動作する無線ネットワーク受信機による動作について実施例が説明されたが、本発明は、セル識別情報を伝えるパケットが効果的とされる他の無線規格や他のＷＬＡＮ規格など、ＩＥＥＥ８０２．１１ＯＦＤＭ規格以外の規格により動作する受信機とトランシーバにより実現されてもよい。適用可能なアプリケーションには、ＩＥＥＥ８０２．１１ワイヤレスＬＡＮ及びリンク、ワイヤレスイーサネット（登録商標）、ＨＩＰＥＲＬＡＮ２、ＥＴＳＩ（Ｅｕｒｏｐｅａｎ  Ｔｅｃｈｎｉｃａｌ  Ｓｔａｎｄａｒｄｓ  Ｉｎｓｔｉｔｕｔｅ）ＢＲＡＮ（Ｂｒｏａｄｂａｎｄ  Ｒａｄｉｏ  Ａｃｃｅｓｓ  Ｎｅｔｗｏｒｋ）、ＭＭＡＣ（Ｍｕｌｔｉｍｅｄｉａ  Ｍｏｂｉｌｅ  Ａｃｃｅｓｓ  Ｃｏｍｍｕｎｉｃａｔｉｏｎ）システム、ワイヤレスローカルエリアネットワーク、ＬＭＤＳ（Ｌｏｃａｌ  Ｍｕｌｔｉｐｏｉｎｔ  Ｄｉｓｔｒｉｂｕｔｉｏｎ  Ｓｅｒｖｉｃｅ）ＩＦストリップス、ワイヤレスデジタルビデオ、ワイヤレスＵＳＢリンク、ワイヤレスＩＥＥＥ１３９４リンク、ＴＤＭＡパケットラジオ、低コストポイント・ツー・ポイントリンク、ボイス・オーバー・ＩＰポータブル「携帯電話」（無線インターネット電話）などが含まれる。
【００７７】
一実施例は、ＩＥＥＥ８０２．１１ｎにより提案される規格と呼ばれるＩＥＥＥ８０２．１１規格の提案されている高速／高スループット変形に特に適している。第２のＳＩＧＮＡＬフィールド又は拡張されたＳＩＧＮＡＬフィールドが利用されることが予想され、セル識別情報を含めることは、第２又は拡張されたＳＩＧＮＡＬフィールドが本発明の一特徴である。
【００７８】
ここで記載されたすべての刊行物、特許及び特許出願は、参照することにより含まれる。
【００７９】
従って、本発明の好適な実施例であると考えられているものが説明されたが、本発明の趣旨から逸脱することなく他の及びさらなる変更が可能であるということを当業者は認識し、そのようなすべての変更及び改良が本発明の範囲内に属するとものとして主張することが意図される。例えば、上記与えられた何れの式も利用可能な処理を単に代表しているにすぎない。機能がブロック図から削除又は追加されてもよく、機能ブロック間で処理が交換されてもよい。本発明の範囲内であると説明された方法に対して、各ステップが追加又は削除されてもよい。
【図面の簡単な説明】
【００８０】
【図１】図１は、ＩＥＥＥ８０２．１１ａパケットの構造を簡略化された形式により示す。
【図２Ａ】図２Ａは、本発明の実施例によるセル識別情報を伝えるため、最後の４つのショートシンボルに対して用いられるＢＰＳＫ（Ｂｉｎａｒｙ  Ｐｈａｓｅ  Ｓｈｉｆｔ  Ｋｅｙｉｎｇ）符号化の２つの例を示す。
【図２Ｂ】図２Ｂは、本発明の実施例によるセル識別情報を伝えるため、最後の４つのショートシンボルに対して用いられるＢＰＳＫ（Ｂｉｎａｒｙ  Ｐｈａｓｅ  Ｓｈｉｆｔ  Ｋｅｙｉｎｇ）符号化の２つの例を示す。
【図３Ａ】図３Ａは、本発明の実施例によるセル識別情報を伝えるため、最後の４つのショートシンボルに対して用いられるＱＰＳＫ（Ｑｕａｒｔｅｎａｒｙ  Ｐｈａｓｅ  Ｓｈｉｆｔ  Ｋｅｙｉｎｇ）符号化の２つの例を示す。
【図３Ｂ】図３Ｂは、本発明の実施例によるセル識別情報を伝えるため、最後の４つのショートシンボルに対して用いられるＱＰＳＫ（Ｑｕａｒｔｅｎａｒｙ  Ｐｈａｓｅ  Ｓｈｉｆｔ  Ｋｅｙｉｎｇ）符号化の２つの例を示す。
【図４Ａ】図４Ａは、ＩＥＥＥ８０２．１１規格のＯＦＤＭ変形に準拠するＰＣＬＰ（Ｐｈｙｓｉｃａｌ  Ｌａｙｅｒ  Ｃｏｎｔｒｏｌ  Ｐｒｏｔｏｃｏｌ）ヘッダを示す。
【図４Ｂ】図４Ｂは、ＩＥＥＥ８０２．１１規格のＯＦＤＭ変形に準拠する５バイトＰＣＬＰヘッダの各ビットを示す。
【図５】図５は、本発明の実施例を含むワイヤレスステーションのブロック図を示す。
【図６】図６は、一例となる無線ネットワークの２つのセルを示す。
【図７】図７は、本発明の特徴による２つの離散的時間を通じて変換するスタート・オブ・パケット（ＳＯＰ）閾値と２つのセルからの一例となる信号強度分布を示す。
【図８】図８は、本発明の他の特徴による干渉を軽減するのにセル識別情報を利用する適応的スマートアンテナ処理を有するワイヤレスステーションのブロック図を示す。
【図１】
2007507976.tif 000004
【図２Ａ】
2007507976.tif 000005
【図２Ｂ】
2007507976.tif 000006
【図３Ａ】
2007507976.tif 000007
【図３Ｂ】
2007507976.tif 000008
【図４Ａ】
2007507976.tif 000009
【図４Ｂ】
2007507976.tif 000010
【図５】
2007507976.tif 000011
【図６】
2007507976.tif 000012
【図７】
2007507976.tif 000013
【図８】
2007507976.tif 000014
【国際調査報告】
2007507976.tif 000015
2007507976.tif 000016